(57)【要約】【課題】メッシュフェンスを新設する際は勿論、ネットフェンスをメッシュフェンスに改装する際に、支柱にメッシュパネルを、容易かつ確実に固定することができ、しかも、外観に優れたフェンス用固定金具を提供することにある。【解決手段】縦桟と横桟とが格子状に組まれたメッシュパネルをハット形鋼からなる支柱１に固定するためのフェンス用固定金具において、支柱１の外面に嵌め込まれるＶ字状に湾曲した頭部９と、頭部９の谷部に固定されたボルト１０とからなる。【選択図】図４
2007107215.tif 000002
【特許請求の範囲】
【請求項１】
縦桟と横桟とが格子状に組まれたメッシュパネルを支柱に固定するためのフェンス用固定金具において、
前記支柱の外面に嵌め込まれる湾曲した頭部と、前記頭部の谷部に固定されたボルトとからなることを特徴とするフェンス用固定金具。
【請求項２】
前記支柱は、ハット形鋼からなり、前記頭部は、Ｖ字状に形成されていることを特徴とする、請求項１記載のフェンス用固定金具。
【請求項３】
前記支柱は、角鋼管からなり、前記頭部は、コ字状に形成されていることを特徴とする、請求項１記載のフェンス用固定金具。
【請求項４】
前記支柱は、丸鋼管からなり、前記頭部は、円弧状に形成されていることを特徴とする、請求項１記載のフェンス用固定金具。
【発明の詳細な説明】
【技術分野】
【０００１】
この発明は、フェンス用固定金具、特に、既設のネットフェンスをメッシュフェンスに改装する際に使用するフェンス用固定金具に関するものである。
【背景技術】
【０００２】
従来から広く構築されているフェンスとしてネットフェンスがある。このネットフェンスは、図１０および図１１に示すように、ハット形鋼からなる支柱１と、支柱１間に固定された、アングル鋼からなる上、下胴縁２（上胴縁のみ図示）と、上、下胴縁２間に取り付けられた菱形金網３とからなっている。ナックル加工された菱形金網３は、その上端部に挿通された鉄線４を、上胴縁２の垂直部に形成された爪２Ａに引っ掛けることによって、上胴縁２に取り付けられている。菱形金網３の下端部の下胴縁（図示せず）への取り付けは、爪２Ａの向きが上下逆になっている点を除いて、上胴縁の場合と同様である。
【０００３】
上胴縁２の垂直部は、支柱１のリップの上部に形成された上部爪１Ａ内に挿入され、上胴縁２の水平部は、支柱１のウェブに挿通されたボルト５により固定金具６を介して固定されている。固定金具６は、上胴縁２の水平部が嵌め込まれる溝６Ａを有し、袋ナット７によって固定されている。下胴縁の支柱１への固定構造は、上部爪１Ａの向きが上下逆になっている点を除いて、上胴縁の場合と同様である。
【発明の開示】
【発明が解決しようとする課題】
【０００４】
このように構成されているネットフェンスは、年月が経過すると、菱形金網３の破れや変形によって、美観が著しく損なわれ、場合によってはフェンスとしての機能が失われる場合もある。
【０００５】
このような欠陥を有するフェンスは、新規に構築し直すのが最良であるが、構築費用および工期がかかるので、破損部分のみを新たな部材に取り替える改装が得策である。また、改装する場合であっても、より安価に短期間で構築することが強く望まれている。
【０００６】
一方、菱形金網３を用いたネットフェンスに比べて美観が優れていることから人気が高まっているメッシュフェンスが近年、主流になりつつある。メッシュフェンスは、上、下端部を種々の形状に折り曲げて胴縁を形成した鋼線材製縦桟に鋼線材製横桟を溶接により接合し、これに樹脂被覆を施して、メッシュパネルを構成し、このメッシュパネルを支柱間に固定したものである。
【０００７】
このようなメッシュフェンスが主流となりつつ現状において、ネットフェンスの支柱をそのまま利用し、この既設の支柱にメッシュパネルを取り付けてメッシュフェンスに改装すれば、構築費用および工期面で多大なメリットがある。
【０００８】
この際、メッシュパネルを既設の支柱に容易かつ確実に固定することができ、しかも、外観に優れたフェンス用固定金具が不可欠であるが、かかる固定金具は未だ開発されていない。
【０００９】
従って、この発明の目的は、メッシュフェンスを新設する際は勿論、ネットフェンスをメッシュフェンスに改装する際に、支柱にメッシュパネルを、容易かつ確実に固定することができ、しかも、外観に優れたフェンス用固定金具を提供することにある。
【課題を解決するための手段】
【００１０】
この発明は、上記目的を達成するためになされたものであって、下記を特徴とするものである。
【００１１】
請求項１記載の発明は、縦桟と横桟とが格子状に組まれたメッシュパネルを支柱に固定するためのフェンス用固定金具において、前記支柱の外面に嵌め込まれる湾曲した頭部と、前記頭部の谷部に固定されたボルトとからなることに特徴を有するものである。
【００１２】
請求項２記載の発明は、請求項１記載のフェンス用固定金具において、支柱は、ハット形鋼からなり、頭部は、Ｖ字状に形成されていることに特徴を有するものである。
【００１３】
請求項３記載の発明は、請求項１記載のフェンス用固定金具において、支柱は、角鋼管からなり、頭部は、コ字状に形成されていることに特徴を有するものである。
【００１４】
請求項４記載の発明は、請求項１記載のフェンス用固定金具において、支柱は、丸鋼管からなり、頭部は、円弧状に形成されていることに特徴を有するものである。
【発明の効果】
【００１５】
この発明によれば、メッシュフェンスを新設する際は勿論、ネットフェンスをメッシュフェンスに改装する際に、支柱にメッシュパネルを、容易かつ確実に固定することができ、しかも、外観に優れたフェンス用固定金具を提供することができる。
【発明を実施するための最良の形態】
【００１６】
この発明のフェンス用固定金具の一実施態様を、図面を参照しながら説明する。
【００１７】
図１は、この発明のフェンス用固定金具を示す平面図、図２は、この発明のフェンス用固定金具を示す正面図、図３は、この発明のフェンス用固定金具を示す側面図、図４はこの発明のフェンス用固定金具により支柱にメッシュパネルを固定した状態を示す部分斜視図、図５は、この発明の角鋼管用フェンス用固定金具により支柱にメッシュパネルを固定した状態を示す断面図、図６は、この発明の丸鋼管用フェンス用固定金具により支柱にメッシュパネルを固定した状態を示す断面図、図７は、メッシュパネルの下部固定用の第１金具および第２金具を示す斜視図、図８は、第１金具および第２金具により支柱にメッシュパネルを固定した状態を示す断面図、図９は、第１金具および第２金具により支柱にメッシュパネルを固定した状態を示す側面図である。
【００１８】
図１から図３に示すように、この発明のフェンス用固定金具８は、ハット形鋼の外面に嵌まり込むようにＶ字状に湾曲した頭部９と、頭部９の谷部に固定されたボルト１０とからなっている。頭部９には、補強用リブ９Ａがプレスにより成形されている。
【００１９】
このように構成されている、この発明のフェンス用固定金具８を、例えば、既設のネットフェンスをメッシュフェンスに改装する際に使用する場合を例にあげて説明する。メッシュフェンスを新設する場合に使用しても良いことは勿論である。
【００２０】
先ず、既設のネットフェンスの支柱から菱形金網を胴縁と共に取り外す。そして、図４に示すように、残った支柱１の上部のボルト孔にフェンス用固定金具８のボルト１０を挿入し、支柱１に仮置きされているメッシュパネル（Ｐ）の縦桟を、押え金具１１により挟み込んでナット１２により固定する。なお、ボルト１０が挿入されるボルト孔は、図１１に示すように、ネットフェンスの上胴縁２を固定する固定金具６のボルト孔として既に開けられているので、新規に開ける必要はない。
【００２１】
また、固定金具８の頭部９は、Ｖ字状に湾曲し、支柱１の外面に嵌まり込むので、ナット１２を締める作業が簡単に行える。しかも、固定金具８は、支柱１と一体感があるので、外観も優れている。
【００２２】
上述のようにして、メッシュパネル（Ｐ）の上部が既設の支柱１に固定されるが、メッシュパネル（Ｐ）の下部は、図７から図９に示すように、支柱１のフランジに引っ掛けるフック１３Ａ、１４Ａがそれぞれ形成された第１金具１３および第２金具１４を使用して固定する。第１金具１３には、メッシュパネル（Ｐ）の縦桟用溝１３Ｂと第２金具１４に挿通されるボルト１３Ｃとが設けられているので、両金具１３、１４のフック１３Ａ、１４Ａを支柱１のフランジに引っ掛け、ナット１５を締めれば、両金具１３、１４を介してメッシュパネル（Ｐ）の下部が支柱１に固定される。
【００２３】
以上説明した、この発明のフェンス用固定金具は、ハット形鋼からなる支柱１にメッシュパネルを固定するものであるが、図５に示すように、角鋼管からなる支柱１にメッシュパネル（Ｐ）を固定する場合には、同図に示すように、頭部１６がコ字状に形成され、頭部１６の谷部にボルト１７が固定されている固定金具１８を使用する。
【００２４】
固定金具１８のボルト１７を支柱１に挿通し、押え金具１９によりメッシュパネル（Ｐ）の縦桟を挟み込み、ナット２０を締めれば、角鋼管からなる支柱１にメッシュパネル（Ｐ）を固定することができる。
【００２５】
また、図６に示すように、丸鋼管からなる支柱１にメッシュパネル（Ｐ）を固定する場合には、同図に示すように、頭部２１が円弧状に形成され、頭部２１の谷部にボルト２２が固定されている固定金具２３を使用する。
【００２６】
固定金具２３のボルト２２を支柱１に挿通し、押え金具２４によりメッシュパネル（Ｐ）の縦桟を挟み込み、ナット２５を締めれば、丸鋼管からなる支柱１にメッシュパネル（Ｐ）を固定することができる。
【００２７】
何れの固定金具１８、２３も、支柱１の外面に嵌まり込むので、ナット締めが容易に行えるばかりが、支柱１と一体感があるので、外観も優れている。
【図面の簡単な説明】
【００２８】
【図１】この発明のフェンス用固定金具を示す平面図である。
【図２】この発明のフェンス用固定金具を示す正面図である。
【図３】この発明のフェンス用固定金具を示す側面図である。
【図４】この発明のフェンス用固定金具により支柱にメッシュパネルを固定した状態を示す部分斜視図である。
【図５】この発明の角鋼管用フェンス用固定金具により支柱にメッシュパネルを固定した状態を示す断面図である。
【図６】この発明の丸鋼管用フェンス用固定金具により支柱にメッシュパネルを固定した状態を示す断面図である。
【図７】メッシュパネルの下部固定用の第１金具および第２金具を示す斜視図である。
【図８】第１金具および第２金具により支柱にメッシュパネルを固定した状態を示す断面図である。
【図９】第１金具および第２金具により支柱にメッシュパネルを固定した状態を示す側面図である。
【図１０】ネットフェンスを示す部分正面図である。
【図１１】ネットフェンスを示す部分側面図である。
【符号の説明】
【００２９】
１：支柱
２：胴縁
２Ａ：爪
３：菱形金網
４：鉄線
５：ボルト
６：固定金具
６Ａ：溝
７：袋ナット
８：固定金具（本発明）
９：頭部
９Ａ：リブ
１０：ボルト
１１：押え金具
１２：ナット
１３：第１金具
１３Ａ：フック
１３Ｂ：溝
１３Ｃ：ボルト
１４：第２金具
１４Ａ：フック
１５：ナット
１６：頭部
１７：ボルト
１８：固定金具（本発明）
１９：押え金具
２０：ナット
２１：頭部
２２：ボルト
２３：固定金具（本発明）
２４：押え金具
２５：ナット
【図１】
2007107215.tif 000003
【図２】
2007107215.tif 000004
【図３】
2007107215.tif 000005
【図４】
2007107215.tif 000006
【図５】
2007107215.tif 000007
【図６】
2007107215.tif 000008
【図７】
2007107215.tif 000009
【図８】
2007107215.tif 000010
【図９】
2007107215.tif 000011
【図１０】
2007107215.tif 000012
【図１１】
2007107215.tif 000013